【手続補正書】
【提出日】平成19年3月1日(2007.3.1)
【手続補正１】
【補正対象書類名】明細書
【補正対象項目名】特許請求の範囲
【補正方法】変更
【補正の内容】
【特許請求の範囲】
【請求項１】  物品の自動チェックイン及び電子物品監視（ＥＡＳ）タグの作動化システムであって、
盗難抑止用物品と結合される作動化可能なＥＡＳタグと、
該物品に関連するタグデータの記憶及び通信のために該物品と結合されるＲＦＩＤタグと、
予備選択された方位で該物品を受容するようにされた開口部を有するハウジングと、
前記ＥＡＳタグを作動化させる手段と、
前記ハウジングに隣接する、前記ＲＦＩＤタグを読取って前記タグデータから信号を得るＲＦＩＤタグ読取装置と、
該物品と関連する在庫データを含む在庫データベースと、
前記ＲＦＩＤ読取装置からの前記信号に応答する、前記在庫データベースから前記在庫データを検索するプロセッサであって、前記ＥＡＳタグを作動化させるために前記作動化手段を起動させ、該物品のチックインのために前記在庫データベースの前記在庫データを更新させるプロセッサと、
前記ハウジングに接続される、前記ハウジング内の該物品を検知する手段とから成り、前記プロセッサが前記物品を検知する手段に応答して、前記ハウジング内へ受け入れた物品の数をカウントすることを特徴とする物品自動チェックインおよびＥＡＳタグ作動化システム。
【請求項２】  前記ＥＡＳタグを作動化させる前記手段は、送信機及びＥＡＳ作動化アンテナを含み、前記アンテナは前記ハウジングに隣接して配置され、前記ＥＡＳタグの作動化が開始されると前記ハウジング内に作動化のための電磁場を発生させるために前記送信機に応答し、前記物品が前記開口を通して前記ハウジング内に入れられると前記送信機を起動させる、請求項１のシステム。
【請求項３】  前記アンテナは、前記ハウジングの少なくとも一部においてその周りに配置されたコイルであって、前記ＥＡＳタグが該物品上に配置されかつ該物品が前記ハウジング内に配置されると、該ＥＡＳタグは前記コイル内で軸方向に方向づけられたある長さを有する、請求項２のシステム。
【請求項４】  前記作動化電磁場は、記録済み磁気媒体を検出可能に劣化させるレベル未満の最大フィールドレベルを有するＤＣフィールドである、請求項３のシステム。
【請求項５】  前記作動化電磁場レベルが前記ハウジング内で約１００Ｏe乃至２００Ｏeである、請求項４のシステム。
【請求項６】  前記作動化電磁場レベルが前記ハウジング内で約１００Ｏe乃至１２５Ｏeである、請求項５のシステム。
【請求項７】  前記ＥＡＳタグの不作動化手段をさらに含む、請求項１のシステム。
【請求項８】  該物品に関連する前記タグデータを更新するために前記ＲＦＩＤタグに書込む手段をさらに含み、前記書込手段が前記ハウジングに隣接しかつ前記プロセッサに応答する、請求項１のシステム。
【請求項９】  前記ＥＡＳタグの不作動化手段をさらに含む、請求項１０のシステム。
【請求項１０】  物品の自動チェックイン及び電子物品監視（EAS）タグの作動化のためのシステムであって、
盗難抑制用物品に関連する作動化可能ＥＡＳタグと、
該物品に関連するタグデータの記憶及び通信のために該物品に結合されるＲＦＩＤタグと、
予備選択された方向の複数の該物品を受容するようにされた開口を有するハウジングと、
前記ＥＡＳタグを作動化させる手段と、
前記ハウジングに隣接する、前記ＲＦＩＤタグを読取って前記タグデータから信号を得るＲＦＩＤ読取装置と、
該物品に関連する在庫データを含む在庫データベースと、
前記ＲＦＩＤ読取装置からの前記信号に応答して前記在庫データベースから前記在庫データを検索するプロセッサであって、前記ＥＡＳタグを作動化させるために前記作動化手段を起動させ、該物品のチェックインのために前記在庫データベースの前記在庫データを更新させるプロセッサと、
前記プロセッサに接続される、各物品につきＲＦＩＤタグが読取られることを確認するために前記ハウジング内に配置された各物品を検知する手段であって、関連するＲＦＩＤタグデータなしに検知された物品に対して前記プロセッサが誤り信号を発生する検知手段とから成る自動チェックインおよびＥＡＳ作動化システム。
【請求項１１】  該物品に関連する前記タグデータを更新するために前記ＲＦＩＤタグに書込む手段をさらに含み、前記書込手段が前記ハウジングに隣接しかつ前記プロセッサに応答する、請求項１０のシステム。
【請求項１２】  物品の自動チェックイン及び電子物品監視（ＥＡＳ）タグの作動化のための装置であって、
予備選択された方位で該物品に結合される作動化可能な盗難抑止ＥＡＳタグと、
該物品に関連するタグデータの記憶及び通信のために該物品に結合されるＲＦＩＤタグと、
予備選択された方向の該物品を受取るようにされた第１端において開口を有する細長いハウジングであって、前記第１端の前記開口を通して配置された物品が前記細長いハウジングを通して通過し、第２端において前記ハウジングから出るように配置されるハウジングと、
前記ＥＡＳタグを作動化させる手段であって、送信機とＥＡＳ作動化コイルを含み、前記コイルは前記細長いハウジングの少なくとも一部分の周りに隣接して配置され、前記ＥＡＳタグの作動化開始のとき前記細長いハウジング内に作動化電磁場を発生させるために前記送信機に応答し、前記ＥＡＳタグは前記物品上に位置づけられたある長さを有し、前記物品が前記細長いハウジングを通過するとき軸方向に方向づけられた前記作動化コイルを通過するようになっている作動化手段と、
前記第１端に隣接して前記細長いハウジング上に配置される、前記ＲＦＩＤタグを読取って前記タグデータから信号を得るＲＦＩＤ読取装置と、
該物品に関連する在庫データを含む在庫データベースと、
前記ＲＦＩＤ読取装置からの前記信号に応答して前記在庫データベースからの前記在庫データを検索するプロセッサであって、前記物品が前記開口を通して配置されるとき前記ＥＡＳタグを作動化させるために前記作動化電磁場を発生させるように前記送信機を始動させ、物品チェックインのために前記在庫データベースの前記在庫ベースを更新させるプロセッサとから成る物品自動チェックインおよびＥＡＳタグの作動化のための装置。
【請求項１３】  前記細長いハウジングの前記第１端に隣接して配置された前記ＲＦＩＤタグに書込むと共に物品に関連する前記タグデータを更新するために前記プロセッサに応答する手段をさらに含む、請求項１２の装置。
【請求項１４】  前記作動化電磁場は、予備記録された磁気媒体を検出可能に劣化させるレベル未満の最大フィールドレベルを有するＤＣフィールドである、請求項１２の装置。
【請求項１５】  前記作動電磁場レベルが前記ハウジング内で約１００Ｏe乃至２００Ｏeである、請求項１４の装置。
【請求項１６】  前記作動電磁場レベルが前記ハウジング内で約１００Ｏe乃至１２５Ｏeである、請求項１５の装置。
【請求項１７】  前記EASタグの不作動化手段をさらに含む、請求項１２の装置。
【請求項１８】  物品の自動チェックアウト及び電子物品監視（ＥＡＳ）タグの不作動化のためのシステムであって、
盗難抑止用物品に関連する不作動化可能なＥＡＳタグと、
該物品に関連するタグデータの記憶及び通信のために該物品に結合されるＲＦＩＤタグと、
予備選択された方向で該物品を受取るようにされた空洞を有するハウジングと、
前記空洞に隣接する前記ＥＡＳタグを不作動化させる手段と、
前記ハウジングに隣接する、前記ＲＦＩＤタグを読取って前記タグデータを得るＲＦＩＤ読取装置と、
該物品に関連する在庫データを含む在庫データベースと、
前記ＲＦＩＤ読取装置からの前記信号に応答して前記在庫データベースからの前記在庫データを検索するプロセッサであって、前記ＥＡＳタグを不作動化させるために前記不作動化手段を起動させ、該物品のチェックアウトのために前記在庫データベースの前記在庫データを更新させるプロセッサとから成る自動チェックアウトおよびＥＡＳタグの不作動化のためのシステム。
【請求項１９】  前記ＥＡＳタグを不作動化させる前記手段は、送信機及びＥＡＳ不作動化アンテナを含み、前記アンテナは前記空洞に隣接して配置され、前記ＥＡＳタグの不作動化が開始されると前記空洞内に不作動化のための電磁場を発生させるために前記送信機に応答する、請求項１８のシステム。
【請求項２０】  前記アンテナは、前記空洞の少なくとも一部においてその周りに配置されたコイルであって、前記ＥＡＳタグが該物品上に配置されかつ該物品が前記空洞内に配置されると、該ＥＡＳタグは前記コイル内で軸方向に方向づけられたある長さを有する、請求項１９のシステム。
【請求項２１】  認可されたチェックアウトの立証手段をさらに含み、前記プロセッサが前記不作動化手段を始動させるために前記立証手段に応答する、請求項１８のシステム。
【請求項２２】  認可されたチェックアウトの前記立証手段が会員カードを読取り、会員を立証する手段をさらに含む、請求項２１のシステム。
【請求項２３】  認可されたチェックアウトの前記立証手段がクレジットカードを読取り、クレジットを立証する手段をさらに含む、請求項２２のシステム。
【請求項２４】  該物品に関連する前記タグデータを更新するために前記ＲＦＩＤタグに書込手段をさらに含む、請求項１８のシステム。
【請求項２５】  前記不作動化電磁場は、予備選択された磁気媒体を検出可能に劣化させるレベル未満の最大フィールドレベルを有するＡＣリングダウンパルスである、請求項２０のシステム。
【請求項２６】  前記不作動化電磁場レベルは前記空洞内で２５Ｏｅ乃至２００Ｏｅである、請求項２５のシステム。
【請求項２７】  前記不作動化電磁場レベルは前記空洞内で２５Ｏｅ乃至１２５Ｏｅである、請求項２６のシステム。
【請求項２８】  前記プロセッサに応答する前記ＥＡＳタグを作動化する手段をさらに含む、請求項１８のシステム。
【請求項２９】  前記プロセッサは該物品の各価格及びチェックアウトの合計価格を示す価格信号を発生する装置をさらに含む、請求項１８のシステム。
【請求項３０】  ディスプレを含む、請求項２９のシステム。
【請求項３１】  認可されたチェックアウトの立証手段をさらに含み、前記プロセッサが前記不作動化手段を始動させるために前記立証手段に応答する、請求項１８のシステム。
【請求項３２】  認可されたチェックアウトの前記立証手段が会員カードを読取り、会員を立証する手段をさらに含む、請求項３１のシステム。
【請求項３３】  認可されたチェックアウトの前記立証手段がクレジットカードを読取り、クレジットを認証する手段をさらに含む、請求項３１のシステム。
【請求項３４】  該物品に関連する前記タグデータを更新するために前記ＲＦＩＤタグに書込む手段をさらに含み、前記書込手段が前記ハウジングに隣接して配置され、前記プロセッサに応答する、請求項１８のシステム。
【請求項３５】  前記不作動化電磁場は、予備選択された磁気媒体を検出可能に劣化させるレベル未満の最大フィールドレベルを有するＡＣリングダウンパルスである、請求項１８のシステム。
【請求項３６】  前記不作動化電磁場レベルは前記空洞内で２５Ｏｅ乃至２００Ｏｅである、請求項３５のシステム。
【請求項３７】  前記不作動化電磁場レベルは前記空洞内で２５Ｏｅ乃至１２５Ｏｅである、請求項３６のシステム。
【請求項３８】  前記プロセッサに応答する前記ＥＡＳタグを作動化する手段をさらに含む、請求項１８のシステム。
【請求項３９】  物品の自動チェックアウト及び電子物品監視（ＥＡＳ）タグの不作動化のための装置であって、
盗難抑止に関連する、予備選択された方向で、不作動化可能なＥＡＳタグと、
該物品に関連するタグデータの記憶及び通信のために該物品に結合されるＲＦＩＤタグと、
予備選択された方向で該物品を受取るようにされた空洞を有するハウジングと、
前記ＥＡＳタグを不作動化させる手段であって、前記空洞の少なくとも一部分の周りに配置されるアンテナコイルを含み、前記空洞内の該物品上に前記ＥＡＳタグが配置されると前記タグは前記コイル内で軸方向に方位付けられる長さを有するタグ不動化手段と、
前記空洞に隣接して配置される、前記ＲＦＩＤタグを読取って前記タグデータから信号を得るＲＦＩＤ読取装置と、
前記ハウジングに接続される取引立証手段と、
前記データの少なくとも一部のディスプレ手段と、
該物品と関連する在庫データを含むデータベースと、
前記ＲＦＩＤ読取装置からの前記信号に応答して前記在庫データベースからの前記在庫データを検索するプロセッサであって、前記ＥＡＳタグを不作動化させるために前記不作動化手段を起動させ、該物品のチェックアウトのために前記在庫データベースの前記在庫データを更新させるプロセッサとから成る自動チェックアウトＥＡＳ不作動化タグ装置。
【請求項４０】  前記不作動化電磁場は、予備選択された磁気媒体を検出可能に劣化させるレベル未満の最大フィールドレベルを有するＡＣリングダウンパルスである、請求項３９の装置。
【請求項４１】  前記不作動化電磁場レベルは前記空洞内で２５Ｏｅ乃至２００Ｏｅである、請求項４０装置。
【請求項４２】  前記不作動化電磁場レベルは前記空洞内で２５Ｏｅ乃至１２５Ｏｅである、請求項４１の装置。
【請求項４３】  前記認可されたチェックアウトの認証手段は、会員カード及び認証カードを読取る手段を含み、前記プロセッサが前記不作動化手段を始動させるために前記認証手段に応答する、請求項３９の装置。
【請求項４４】  前記認可されたチェックアウトの認証手段は、クレジットカードを読取りかつクレジットを認証する手段を含み、前記プロセッサが前記不作動化手段を始動させるために前記認証手段に応答する、請求項３９の装置。